(57)【要約】【課題】ＩＰ網を含む着信システムにおいて、ＰＳＴＮに改造を加えることなく、着信短縮ダイヤルサービスを提供できるようにする。【解決手段】着信システムのＩＰ網内に、短縮ダイヤル番号ごとに、その短縮ダイヤル番号に対応する汎用番号の着信ダイヤル番号を示した短縮ダイヤルＤＢを備えるＡＳ１０を用意する。そして、ＡＳ１０は、発信端末から短縮ダイヤル番号（＃ABCD）のINVITEメッセージを受信したとき、この短縮ダイヤル番号に対応する、汎用番号（0A-J）着信ダイヤル番号を返し、この着信ダイヤル番号のINVITEメッセージを中継サーバ４０へ送信する。中継サーバ４０は、このINVITEメッセージ（0A-J）をIAMメッセージに変換してＰＳＴＮの加入者交換機６０へ転送する。【選択図】図１
2011101130.tif 000002
【特許請求の範囲】
【請求項１】
ＩＰ（Internet Protocol）網内において、発信元の端末装置からの着信先ダイヤル番号のINVITEメッセージを受信する加入者サーバと、前記加入者サーバから前記着信先ダイヤル番号のINVITEメッセージを受信したとき、前記ＩＰ網内の加入者サーバまたは前記公衆回線網の中継交換機へ、前記INVITEメッセージを転送し、着信先の端末装置との接続処理を行う中継サーバとを含む着信システムにおける前記加入者サーバであって、
前記着信ダイヤル番号の論理ＩＤであることを示す識別情報を有するINVITEメッセージを受信したとき、前記論理ＩＤの示す着信先ダイヤル番号を、番号検索手段に問い合わせる番号問い合わせ手段と、
前記番号問い合わせ手段から、前記論理ＩＤの示す着信先ダイヤル番号のINVITEメッセージを受信したとき、前記論理ＩＤごとに、その論理ＩＤの示す着信先ダイヤル番号を示した論理ＩＤ情報を参照して、前記INVITEメッセージの論理ＩＤの示す着信先ダイヤル番号を検索し、この検索した着信ダイヤル番号のINVITEメッセージを前記番号問い合わせ手段に返す番号検索手段と、
前記番号検索手段から、前記着信先ダイヤル番号のINVITEメッセージを受信したとき、このINVITEメッセージを前記中継サーバへ送信する接続処理手段とを備えることを特徴とする加入者サーバ。
【請求項２】
前記論理ＩＤ情報は、
前記発信元の端末装置のダイヤル番号の属する地域ごとに、そのダイヤル番号の属する地域で用いられる前記論理ＩＤと、その論理ＩＤの示す着信先ダイヤル番号とを示した情報であることを特徴とする請求項１に記載の加入者サーバ。
【請求項３】
ＩＰ網内において、発信元の端末装置からの着信先ダイヤル番号のINVITEメッセージを受信する加入者サーバと、前記加入者サーバから前記着信先ダイヤル番号のINVITEメッセージを受信したとき、前記ＩＰ網内の加入者サーバまたは前記公衆回線網の中継交換機へ、前記INVITEメッセージを転送し、着信先の端末装置との接続処理を行う中継サーバとを含む着信システムであって、
論理ＩＤごとに、その論理ＩＤの示す着信先ダイヤル番号を示した論理ＩＤ情報を記憶する記憶部と、前記加入者サーバから、前記論理ＩＤのINVITEメッセージを受信したとき、前記論理ＩＤ情報を参照して、前記INVITEメッセージの論理ＩＤの示す着信先ダイヤル番号を検索し、前記加入者サーバに返す番号検索手段とを備えるアプリケーションサーバと、
前記論理ＩＤであることを示す識別情報を有する論理ＩＤのINVITEメッセージを受信したとき、前記論理ＩＤの示す着信先ダイヤル番号を、前記アプリケーションサーバに問い合わせる番号問い合わせ手段と、前記アプリケーションサーバから、前記論理ＩＤの示す着信先ダイヤル番号のINVITEメッセージを受信したとき、この着信先ダイヤル番号のINVITEメッセージを前記中継サーバへ送信する接続処理手段とを備える前記加入者サーバと、
前記中継サーバとを有することを特徴とする着信システム。
【請求項４】
前記着信システムは、複数の前記アプリケーションサーバを備え、複数の前記アプリケーションサーバの記憶部はそれぞれ、同じ前記論理ＩＤ情報を記憶することを特徴とする請求項３に記載の着信システム。
【請求項５】
前記論理ＩＤ情報は、前記発信元の端末装置のダイヤル番号の属する地域ごとに、そのダイヤル番号の属する地域で用いられる前記論理ＩＤと、その論理ＩＤの示す着信先ダイヤル番号とを示した情報であることを特徴とする請求項３または請求項４に記載の着信システム。
【請求項６】
ＩＰ（Internet Protocol）網内において、発信元の端末装置からの着信先ダイヤル番号のINVITEメッセージを受信する加入者サーバと、前記加入者サーバから前記着信先ダイヤル番号のINVITEメッセージを受信したとき、前記ＩＰ網内の加入者サーバまたは前記公衆回線網の中継交換機へ、前記INVITEメッセージを転送し、着信先の端末装置への着信処理を行う前記中継サーバとを含む着信システムにおける前記加入者サーバが、
前記論理ＩＤであることを示す識別情報を有する論理ＩＤのINVITEメッセージを受信するステップと、
前記論理ＩＤごとに、その論理ＩＤの示す着信先ダイヤル番号を示した論理ＩＤ情報を参照して、前記INVITEメッセージの論理ＩＤの示す着信先ダイヤル番号を検索するステップと、
前記着信先ダイヤル番号のINVITEメッセージを前記中継サーバへ送信するステップとを実行することを特徴とする着信方法。
【発明の詳細な説明】
【技術分野】
【０００１】
本発明は、着信短縮ダイヤルサービスに関する。
【背景技術】
【０００２】
従来、加入者交換機に、相手の端末装置の電話番号の短縮ダイヤル番号（「特殊番号」と「N桁の数字」からなる番号）を登録しておくことにより、加入者交換機が着信短縮ダイヤル番号のダイヤルを受け付けると、相手の端末装置に接続させる着信短縮ダイヤルサービスがある（非特許文献１参照）。この着信短縮ダイヤルサービスは、公衆交換電話網（ＰＳＴＮ、Public Switched Telephone Network）や、ＩＳＤＮ網（Integrated Services Digital Network）（以下まとめてＰＳＴＮと称する）を対象としたサービスで、全国利用型は、全国共通で利用できる着信短縮ダイヤルを設定できるサービスである。また、地域単位利用型は、その地域内でのみ利用可能な着信短縮ダイヤルを設定できるサービスである。
【０００３】
ここで、従来の着信短縮ダイヤルサービスの概要を説明する。まず、（１）発信端末が短縮ダイヤル（「特殊番号＋N桁」）で発信する。（２）これを受け付けた加入者交換機は、「特殊番号＋N桁」を、着信先ダイヤル番号（「0」から始まる汎用のダイヤル番号、以下、0A-Jと称する）へ変換する。（３）網内の各交換機は、変換された着信先ダイヤル番号（0A-J）によりルーチング処理を行い、着信端末に着信する。
【先行技術文献】
【非特許文献】
【０００４】
【非特許文献１】ＮＴＴ東日本、ＩＮＳ＃ダイヤル、[online]、[平成２１年１０月２０日検索]、インターネット、<URL:http://www.ntt-east.co.jp/ISDN/64/optional/dialin/service2.html>
【発明の概要】
【発明が解決しようとする課題】
【０００５】
ここで、近年、ＩＰ（Internet Protocol）電話等、ＩＰ網を使った電話の接続サービスも提供されている。このようなＩＰ網において、着信短縮ダイヤルサービスを提供しようとした場合、例えば、図７に示すように、ＩＰ網の加入者の端末装置８０Ａから、ＰＳＴＮの加入者の端末装置８０Ｂへの短縮ダイヤル番号「#ABCD（特殊番号＋N桁）」をＩＰ網内では変換できない。よって、ＰＳＴＮ側にて0A-Jへの番号変換を行う必要がある。ところが、現在のＰＳＴＮの加入者交換機は、自網の端末以外からの番号変換の問い合わせには応じない。つまり、ＰＳＴＮの加入者交換機は、ＩＰ網をはじめとする他網からの着信短縮ダイヤル番号に対し、番号変換に応じる仕組みがない。そのため、ＩＰ網の端末装置からＰＳＴＮの加入者の端末装置に電話をかける場合、着信短縮ダイヤルサービスを提供できない。また、ＩＰ網内の加入者サーバは、そもそも短縮ダイヤル番号「#ABCD（特殊番号＋N桁）」の変換機能を備えていない。よって、ＩＰ網内の端末装置８０同士で電話をかけるときの着信短縮ダイヤルサービスを提供することはできないという問題がある。そこで、本発明は、ＩＰ網経由で発信する端末装置に対し、着信短縮ダイヤルサービスを提供することを目的とする。
【課題を解決するための手段】
【０００６】
前記した課題を解決するため、請求項１に記載の発明は、ＩＰ（Internet Protocol）網内において、発信元の端末装置からの着信先ダイヤル番号のINVITEメッセージを受信する加入者サーバと、加入者サーバから着信先ダイヤル番号のINVITEメッセージを受信したとき、ＩＰ網内の加入者サーバまたは公衆回線網の中継交換機へ、INVITEメッセージを転送し、着信先の端末装置との接続処理を行う中継サーバとを含む着信システムにおける加入者サーバであって、着信ダイヤル番号の論理ＩＤであることを示す識別情報を有するINVITEメッセージを受信したとき、論理ＩＤの示す着信先ダイヤル番号を、番号検索手段に問い合わせる番号問い合わせ手段と、番号問い合わせ手段から、論理ＩＤの示す着信先ダイヤル番号のINVITEメッセージを受信したとき、論理ＩＤごとに、その論理ＩＤの示す着信先ダイヤル番号を示した論理ＩＤ情報を参照して、INVITEメッセージの論理ＩＤの示す着信先ダイヤル番号を検索し、この検索した着信ダイヤル番号のINVITEメッセージを番号問い合わせ手段に返す番号検索手段と、番号検索手段から、着信先ダイヤル番号のINVITEメッセージを受信したとき、このINVITEメッセージを中継サーバへ送信する接続処理手段とを備える加入者サーバとした。
【０００７】
請求項６に記載の発明は、ＩＰ（Internet Protocol）網内において、発信元の端末装置からの着信先ダイヤル番号のINVITEメッセージを受信する加入者サーバと、加入者サーバから着信先ダイヤル番号のINVITEメッセージを受信したとき、ＩＰ網内の加入者サーバまたは公衆回線網の中継交換機へ、INVITEメッセージを転送し、着信先の端末装置への着信処理を行う中継サーバとを含む着信システムにおける加入者サーバが、論理ＩＤであることを示す識別情報を有する論理ＩＤのINVITEメッセージを受信するステップと、論理ＩＤごとに、その論理ＩＤの示す着信先ダイヤル番号を示した論理ＩＤ情報を参照して、INVITEメッセージの論理ＩＤの示す着信先ダイヤル番号を検索するステップと、着信先ダイヤル番号のINVITEメッセージを中継サーバへ送信するステップとを実行することを特徴とする着信方法とした。
【０００８】
このようにＩＰ網内に設置される加入者サーバが、短縮着信ダイヤル番号等の論理ＩＤを示した情報を参照して、INVITEメッセージの論理ＩＤの示す着信先ダイヤル番号を検索し、その着信ダイヤル番号のINVITEメッセージを中継サーバへ送信する。よって、着信システムは、ＩＰ網を経由して接続する端末装置に対し、着信短縮ダイヤルサービスを提供することができる。なお、論理ＩＤであることを示す識別情報とは、例えば「＃」等である。
【０００９】
請求項２に記載の発明は、請求項１に記載の加入者サーバにおける論理ＩＤ情報は、発信元の端末装置のダイヤル番号の属する地域ごとに、そのダイヤル番号の属する地域で用いられる論理ＩＤと、その論理ＩＤの示す着信先ダイヤル番号とを示した情報であることを特徴とする。
【００１０】
請求項５に記載の発明は、請求項３または請求項４に記載の着信システムにおいて、論理ＩＤ情報が、発信元の端末装置のダイヤル番号の属する地域ごとに、そのダイヤル番号の属する地域で用いられる論理ＩＤと、その論理ＩＤの示す着信先ダイヤル番号とを示した情報であることを特徴とする。
【００１１】
このようにすることで、着信システムは、地域単位利用型の着信短縮ダイヤルサービスを提供することができる。
【００１２】
請求項３に記載の発明は、ＩＰ網内において、発信元の端末装置からの着信先ダイヤル番号のINVITEメッセージを受信する加入者サーバと、加入者サーバから着信先ダイヤル番号のINVITEメッセージを受信したとき、ＩＰ網内の加入者サーバまたは公衆回線網の中継交換機へ、INVITEメッセージを転送し、着信先の端末装置との接続処理を行う中継サーバとを含む着信システムであって、論理ＩＤごとに、その論理ＩＤの示す着信先ダイヤル番号を示した論理ＩＤ情報を記憶する記憶部と、加入者サーバから、論理ＩＤのINVITEメッセージを受信したとき、論理ＩＤ情報を参照して、INVITEメッセージの論理ＩＤの示す着信先ダイヤル番号を検索し、加入者サーバに返す番号検索手段とを備えるアプリケーションサーバと、論理ＩＤであることを示す識別情報を有する論理ＩＤのINVITEメッセージを受信したとき、論理ＩＤの示す着信先ダイヤル番号を、アプリケーションサーバに問い合わせる番号問い合わせ手段と、アプリケーションサーバから、論理ＩＤの示す着信先ダイヤル番号のINVITEメッセージを受信したとき、この着信先ダイヤル番号のINVITEメッセージを中継サーバへ送信する接続処理手段とを備える加入者サーバと、中継サーバとを有することを特徴とする着信システムとした。
【００１３】
このようにすることで、着信システムの加入者サーバは共通のアプリケーションサーバを利用すればいいので、着信システムの加入者サーバそれぞれが、論理ＩＤ情報を備える必要がなくなる。
【００１４】
請求項４に記載の発明は、請求項３に記載の着信システムが、着信システムは、複数のアプリケーションサーバを備え、複数のアプリケーションサーバの記憶部はそれぞれ、同じ論理ＩＤ情報を記憶することを特徴とする。
【００１５】
このようにすることで、着信システム内の加入者サーバごとに利用するアプリケーションサーバを異なるものとすることができる。また、着信システム内のいずれかのアプリケーションサーバが故障した場合でも、他のアプリケーションサーバを用いることで、着信短縮ダイヤルサービスを提供することができる。
【発明の効果】
【００１６】
本発明によれば、ＩＰ網経由で発信する端末装置に対し、着信短縮ダイヤルサービスを提供することができる。
【図面の簡単な説明】
【００１７】
【図１】本実施の形態の着信システムの概要を示した図である。
【図２】本実施の形態の着信システムの構成例を示した図である。
【図３】図２の着信システムの着信処理を示したシーケンス図である。
【図４】図２の着信システムの着信処理を示したシーケンス図である。
【図５】本実施の形態の着信システムの構成例を示した図である。
【図６】図２の加入者サーバの構成例を示した図である。
【図７】従来の着信システムの概要を示した図である。
【発明を実施するための形態】
【００１８】
以下、本発明を実施するための形態（以下、実施の形態とする）を説明する。本実施の形態の着信システムは、図１に示すように、ＩＰ網とＰＳＴＮとを備える。このＩＰ網およびＰＳＴＮは、中継サーバ４０により接続される。このＩＰ網は、短縮着信ダイヤル番号（論理ＩＤ）を、0A-J（「０」から始まる汎用番号）の着信ダイヤル番号に変換するＡＳ（アプリケーションサーバ）1０を備える。図１を参照して、ＩＰ網に接続された端末装置７０Ａ（７０）から、ＰＳＴＮ（公衆回線網）に接続された端末装置７０Ｂ（７０）へ着信する場合の処理例を説明する。
【００１９】
例えば、ＩＰ網は、端末装置７０Ａから#ABCDという短縮着信ダイヤル番号の発信を受け付けると、この#ABCDのINVITEメッセージをＡＳ１０へ送信する。そして、このＡＳ１０により、この#ABCDのINVITEメッセージを、0A-Jの着信ダイヤル番号のINVITEメッセージに変換する。そして、ＩＰ網は、この0A-Jの着信ダイヤル番号のINVITEメッセージを中継サーバ４０へ送り、中継サーバ４０は、このINVITEメッセージをIAMメッセージに変換する。このIAMメッセージはＰＳＴＮ内で転送され、端末装置７０Ｂ（着信端末）の加入者交換機６０経由で端末装置７０Ｂに着信する。
【００２０】
つまり、ＩＰ網内のＡＳ１０が、この短縮着信ダイヤル番号を0A-Jの着信ダイヤル番号に変換する。これにより、ＰＳＴＮ内の交換機は、汎用番号の着信ダイヤル番号を用いた着信処理（通常通りの着信処理）を行えばよいので、ＩＰ網の端末装置７０Ａが短縮着信ダイヤル番号を用いた場合でも、着信先の端末装置７０Ｂへ着信させることができる。
【００２１】
なお、図示を省略したが、この着信システムのＰＳＴＮの加入者交換機６０において、端末装置７０Ｂから短縮着信ダイヤル番号を用いた発信を受け付けた場合、加入者交換機６０は、自身の短縮ダイヤルＤＢ（論理ＩＤ情報）を参照して、短縮着信ダイヤル番号を0A-Jに変換する。そして、中継サーバ４０において、この0A-JのIAMメッセージを、0A-JのINVITEメッセージに変換し、ＩＰ網へ送信する。そして、このINVITEメッセージはＩＰ網において転送され、端末装置７０Ａに着信する。つまり、着信システムは、ＩＰ網に接続される端末装置７０からの短縮着信ダイヤル番号の着信処理も、ＰＳＴＮに接続される端末装置７０からの短縮着信ダイヤル番号の着信処理も行うことができる。
【００２２】
次に、図２を用いて、着信システムの詳細を説明する。前記したとおり、着信システムは、ＩＰ網とＰＳＴＮとを含んで構成され、ＩＰ網とＰＳＴＮとは中継サーバ４０により接続される。ここでも、ＩＰ網には端末装置７０Ａが接続され、ＰＳＴＮには端末装置７０Ｂが接続されるものとする。なお、以下の説明において短縮着信ダイヤル番号は、予め決められた所定の番号＋Ｎ桁の数字により記述されるものとする。つまり、加入者サーバ２０（後記）は、着信ダイヤル番号に、この所定の番号が含まれるか否かで短縮着信ダイヤル番号か否かの判断を行うものとする。また、端末装置７０は、コンピュータや電話機等である。この着信システムに設置される各サーバ、装置、交換機の数は、図１，２に示す数に限定されない。
【００２３】
この着信システムのＩＰ網は、ＩＰ変換装置３０と、加入者サーバ２０と、ＡＳ１０とを備える。ＩＰ変換装置３０は、端末装置７０を、いわゆるＩＰ電話機として用いるためのアダプタである。このＩＰ変換装置３０は、端末装置７０との通信インタフェースおよび加入者サーバ２０との通信インタフェースを備える装置により実現される。ＩＰ変換装置３０は、端末装置７０から発信された発信信号を、INVITEメッセージ（SIP（Session Initiation Protocol）で発呼処理に用いられるメッセージ）に変換するＩＰ変換部３１を備える。ＩＰ変換装置３０は、このＩＰ変換部３１により変換されたINVITEメッセージを、加入者サーバ２０へ転送する。また、加入者サーバ２０から、180 Ringing を受信すると、発信元である端末装置７０の呼び出し音を鳴らす。そして、着信先の端末装置７０がオフフックをすると、この端末装置７０との間で通話ができるよう、通信の確立を行う。なお、ここでは、ＩＰ変換装置３０と端末装置７０とを別個の装置としているが、これを１つの装置（コンピュータ等）により実現してもよい。
【００２４】
加入者サーバ２０は、ＩＰ変換装置３０と中継サーバ４０とを接続する装置であり、ＩＰ網で通信可能なインタフェースを備えるコンピュータにより実現される。この加入者サーバ２０は、接続処理部２１と、番号問い合わせ部２２と、ＩＰ変換装置ＤＢ（データベース）２３とを備える。
【００２５】
接続処理部２１は、ＩＰ変換装置３０からのINVITEメッセージを他の加入者サーバ２０（図示省略）や中継サーバ４０へ転送したり、中継サーバ４０からの180 Ringing 応答をＩＰ変換装置３０や中継サーバ４０へ転送したりする。
【００２６】
番号問い合わせ部２２は、接続処理部２１において短縮着信ダイヤル番号のINVITEメッセージを受信したとき、この短縮着信ダイヤル番号の示す着信ダイヤル番号（0A-J）をＡＳ１０に問い合わせる。そして、ＡＳ１０から、その問い合わせ結果である着信ダイヤル番号を得ると、この着信ダイヤル番号を接続処理部２１に出力する。接続処理部２１は、番号問い合わせ部２２から出力された着信ダイヤル番号（0A-J）のINVITEメッセージを中継サーバ４０へ送信する。なお、この受信したINVITEメッセージの着信ダイヤル番号が短縮着信ダイヤル番号であるか否かは、番号の最初に所定の番号や、記号（例えば、「＃」や「＊」）が含まれているか否かにより判断される。また、接続処理部２１は、INVITEメッセージの着信ダイヤル番号が、短縮着信ダイヤル番号でなければ、ＡＳ１０への問い合わせは行わず、ＳＩＰに基づく、通常通りの着信処理を行う。
【００２７】
ＩＰ変換装置ＤＢ２３は、着信ダイヤル番号ごとに、この着信ダイヤル番号の端末装置７０へ接続するためのＩＰ変換装置３０のアドレス情報を示したデータベースである。このＩＰ変換装置ＤＢ２３は、中継サーバ４０側からINVITEメッセージを受信したとき、このINVITEメッセージの転送先のＩＰ変換装置３０を特定するときに参照される。
【００２８】
ＡＳ１０は、加入者サーバ２０からの短縮着信ダイヤル番号の問い合わせに対して、この短縮着信ダイヤル番号に対応する着信ダイヤル番号を返す装置である。このＡＳ１０は、このＩＰ網で通信可能なインタフェースを備えるコンピュータにより実現され、短縮ダイヤルＤＢ１１と、番号検索部１２とを備える。
【００２９】
短縮ダイヤルＤＢ１１は、短縮着信ダイヤル番号ごとに、その短縮着信ダイヤル番号に対応する着信ダイヤル番号（0A-J）を示したデータベースである。
【００３０】
番号検索部１２は、加入者サーバ２０から短縮着信ダイヤル番号に対応する着信ダイヤル番号（0A-J）の問い合わせメッセージ（着信ダイヤル番号のINVITEメッセージ）を受信すると、この短縮着信ダイヤル番号をキーとして短縮ダイヤルＤＢ１１を検索して、この短縮着信ダイヤル番号の示す着信ダイヤル番号を特定する。そして、番号検索部１２は、この特定した着信ダイヤル番号のINVITEメッセージを加入者サーバ２０へ返す。
【００３１】
なお、短縮ダイヤルＤＢ１１の情報は、例えば、ＩＰ網の外部装置からのコマンドにより追加されたり、更新されたりする。
【００３２】
中継サーバ４０は、ＩＰ網とＰＳＴＮとを相互に接続する装置であり、加入者サーバ２０との通信インタフェースおよびＰＳＴＮの中継交換機５０との通信インタフェースを備えるコンピュータにより実現される。この中継サーバ４０は、加入者サーバ２０からINVITEメッセージを受信すると、このメッセージを、ＰＳＴＮで用いるメッセージであるIAMメッセージに変換する。中継サーバ４０は、この変換したIAMメッセージをＰＳＴＮの中継交換機５０へ送信する接続処理部４１を備える。なお、このIAMメッセージの送信先の中継交換機５０は、INVITEメッセージに含まれる着信ダイヤル番号をキーとして中継交換機ＤＢ（着信ダイヤル番号ごとに、その着信ダイヤルの端末装置７０に接続するための中継交換機５０を示した情報。図示省略）を検索して特定する。また、この接続処理部４１は、ＰＳＴＮ側からIAMメッセージを受信すると、このIAMメッセージをINVITEメッセージに変換する。そして、この変換したINVITEメッセージをＩＰ網の加入者サーバ２０へ送信する。なお、この中継サーバ４０が、ＰＳＴＮからIAMメッセージを受信したとき、このIAMメッセージの送信先とする中継交換機５０は、IAMメッセージに含まれる着信ダイヤル番号をキーとして中継交換機ＤＢ（着信ダイヤル番号ごとに、その着信ダイヤル番号の端末装置７０に接続するための中継交換機５０を示した情報。図示省略）を検索して特定する。
【００３３】
次に、ＰＳＴＮを説明する。ＰＳＴＮは、中継交換機５０と、加入者交換機６０とを備える。中継交換機５０は、加入者交換機６０と中継サーバ４０とを接続する。この中継交換機５０は、交換機ＤＢ５１と、接続処理部５２とを備える。交換機ＤＢ５１は、着信ダイヤル番号ごとに、その着信ダイヤル番号の端末装置７０に接続するための加入者交換機６０を示した情報である。接続処理部５２は、中継サーバ４０からIAMメッセージを受信したとき、このIAMメッセージに含まれる着信ダイヤル番号をキーとして、加入者交換機６０を検索し、この検索した加入者交換機６０にIAMメッセージを送信する。また、接続処理部５２は、加入者交換機６０からIAMメッセージを受信したとき、このIAMメッセージを中継サーバ４０へ送信する。
【００３４】
加入者交換機６０は、ＰＳＴＮ内の端末装置７０に接続される交換機である。この加入者交換機６０は、接続処理部６１と、短縮ダイヤルＤＢ６２とを備える。この接続処理部６１は、中継交換機５０からのIAMメッセージを受信すると、このIAMメッセージに含まれる着信ダイヤル番号の端末装置７０への着信処理を行う。また、接続処理部６１は、端末装置７０からの発信を受け付けたとき、発信された発信信号を、IAMメッセージに変換して、中継交換機５０へ送信する。短縮ダイヤルＤＢ１１は、短縮着信ダイヤル番号ごとに、その短縮着信ダイヤル番号に対応する着信ダイヤル番号を示したデータベースである。加入者交換機６０は、端末装置７０から短縮着信ダイヤル番号の発信を受け付けたときには、この短縮ダイヤルＤＢ１１を参照して、この短縮着信ダイヤル番号に対応する着信ダイヤル番号を特定し、この着信ダイヤル番号のIAMメッセージを中継交換機５０へ送信する。
【００３５】
このような着信システムによれば、ＩＰ網内のＡＳ１０により、短縮着信ダイヤル番号から着信ダイヤル番号への変換を行うので、ＩＰ網側の端末装置７０からの短縮着信ダイヤル番号の発信を受け付けたときでも、ＰＳＴＮの端末装置７０への着信処理を行うことができる。
【００３６】
次に、このような着信システムの処理手順を図３，４を用いて説明する。まず、図３を用いて、図２のＩＰ網に接続される端末装置７０（７０Ａ）からの短縮着信ダイヤル番号「#ABCD」の発信を、ＰＳＴＮに接続される端末装置７０（７０Ｂ）へ着信させる場合を例に説明する。
【００３７】
まず、ＩＰ変換装置３０は、端末装置７０Ａがオフフックされたことを検出すると、ＤＴ（ダイヤルトーン）を端末装置７０Ａに出力する（Ｓ１）。そして、ＩＰ変換装置３０のＩＰ変換部３１は、#ABCDのダイヤル（発信）を受け付けると（Ｓ２）、この着信ダイヤル番号（#ABCD）のINVITEメッセージ（#ABCD）を生成し、加入者サーバ２０へ送信する（Ｓ３）。加入者サーバ２０の接続処理部２１は、受信したINVITEメッセージに含まれる着信ダイヤル番号に短縮着信ダイヤル番号を示す所定の番号や記号が含まれていると判断すると、番号問い合わせ部２２により、この短縮着信ダイヤル番号のINVITEメッセージ（#ABCD）をＡＳ１０に送信し（Ｓ４）、この短縮着信ダイヤル番号（#ABCD）に対応する汎用番号の着信ダイヤル番号の問い合わせを行う。
【００３８】
ＡＳ１０は、このINVITEメッセージ（#ABCD）を受信すると、番号検索部１２により短縮ダイヤルＤＢ１１を検索して、この短縮着信ダイヤル番号（#ABCD）に対応する汎用番号の着信ダイヤル番号（0A-J）を検索し、その検索した着信ダイヤル番号への番号変換を行う（Ｓ５）。つまり、ＡＳ１０の番号検索部１２は、INVITEメッセージ（#ABCD）をINVITEメッセージ（0A-J）に変換する。そして、この変換したINVITEメッセージ（0A-J）を加入者サーバ２０へ返し（Ｓ６）、加入者サーバ２０の接続処理部２１は、このＡＳ１０から返されたINVITEメッセージ（0A-J）を中継サーバ４０へ送信する（Ｓ７）。
【００３９】
このINVITEメッセージ（0A-J）を受信した中継サーバ４０は、このINVITEメッセージ（0A-J）をＰＳＴＮで用いるIAMメッセージ（0A-J）に変換し、中継交換機５０へ送信する（Ｓ８）。中継交換機５０の接続処理部５２は、このIAMメッセージに含まれる着信ダイヤル番号（0A-J）をキーとして、交換機ＤＢ５１を検索し、このIAMメッセージの転送先の加入者交換機６０を特定する。そして、中継交換機５０の接続処理部５２は、IAMメッセージ（0A-J）を、この特定した加入者交換機６０へ転送する（Ｓ９）。このIAMメッセージを受信した加入者交換機６０の接続処理部６１は、IAMメッセージに含まれる着信ダイヤル番号の端末装置７０Ｂへの着信処理を行う（Ｓ１０）。これを受けて、加入者交換機６０は、中継交換機５０へACMメッセージ（ＰＳＴＮで、着信先を呼び出していることを伝えるメッセージ）を送信し（Ｓ１１）、中継交換機５０は、このACMメッセージを中継サーバ４０へ送信する（Ｓ１２）。この後、中継サーバ４０は、加入者サーバ２０へ180メッセージ（180 Ringing。SIPで着信先を呼び出していることを伝えるメッセージ）を送信し（Ｓ１３）、この180メッセージは、ＡＳ１０→加入者サーバ２０→ＩＰ変換装置３０と転送され（Ｓ１４、Ｓ１５、Ｓ１６）、ＩＰ変換装置３０は、端末装置７０Ａへ呼び出し音を出力する（Ｓ１７：ＲＢＴ）。例えば、端末装置７０Ａに、端末装置７０Ｂを呼び出し中であることを伝える音を出力する。
【００４０】
この後、端末装置７０Ｂの加入者交換機６０が、端末装置７０Ｂのオフフックを検出すると（Ｓ２０）、加入者交換機６０は、中継交換機５０へANMメッセージ（着信先でオフフックされたことを伝えるメッセージ）を送信し（Ｓ２１）、中継交換機５０は、このANMメッセージを中継サーバ４０へ送信する（Ｓ２２）。この後、中継サーバ４０は、加入者サーバ２０へ200メッセージ（200 OK）を送信し（Ｓ２３）、この200メッセージは、ＡＳ１０→加入者サーバ２０→ＩＰ変換装置３０と転送される（Ｓ２４、Ｓ２５、Ｓ２６）。そして、端末装置７０Ａ，７０Ｂ間は通話可能な状態（通信中の状態）になる。Ｓ２６の後、ＩＰ変換装置３０は、加入者サーバ２０へACKを返し（Ｓ２７）、このACKはＡＳ１０→加入者サーバ２０→中継サーバ４０と転送される（Ｓ２８、Ｓ２９、Ｓ３０）。この後、通話が終了すると、着信システムは通信の切断処理を行う。
【００４１】
なお、図２のＰＳＴＮに接続される端末装置７０（７０Ｂ）からの短縮着信ダイヤル番号「#ABCD」の発信を、ＩＰ網に接続される端末装置７０（７０Ａ）へ着信させる場合には、図４に示すような処理を行う。
【００４２】
まず、加入者交換機６０は、端末装置７０Ｂがオンフックされたことを検出すると、ＤＴ（ダイヤルトーン）を端末装置７０Ｂに出力する（Ｓ４１）。そして、加入者交換機６０の接続処理部６１は、#ABCDのダイヤル（発信）を受け付けると、短縮ダイヤルＤＢ６２から、この短縮着信ダイヤル番号（#ABCD）に対応する着信ダイヤル番号（0A-J）を検索し、その検索した着信ダイヤル番号への番号変換を行う（Ｓ４３）。そして、この変換した着信ダイヤル番号（0A-J）のIAMメッセージ（0A-J）を作成し、中継交換機５０へ送信し（Ｓ４４）、中継交換機５０の接続処理部５２は、このIAMメッセージ（0A-J）を中継サーバ４０へ送信する（Ｓ４５）。
【００４３】
中継サーバ４０の接続処理部４１は、中継交換機５０からのIAMメッセージ（0A-J）を、INVITEメッセージ（0A-J）に変換し、このINVITEメッセージ（0A-J）を着信ダイヤル番号「0A-J」の端末装置７０Ａに接続する加入者サーバ２０へ送信する（Ｓ４６）。加入者サーバ２０の接続処理部２１は、着信ダイヤル番号（0A-J）をキーとして、ＩＰ変換装置ＤＢ２３でＩＰ変換装置３０を検索し、この検索したＩＰ変換装置３０へINVITEメッセージ（0A-J）を送信する（Ｓ４７）。そして、このINVITEメッセージ（0A-J）を受信したＩＰ変換装置３０は、端末装置７０Ａへの着信処理を行う（Ｓ４８）。この後、ＩＰ変換装置３０は、加入者サーバ２０へ180メッセージを送信し（Ｓ４９）、加入者サーバ２０は、この180メッセージを中継サーバ４０へ送信する（Ｓ５０）。これを受けて、中継サーバ４０は、中継交換機５０および加入者交換機６０経由で、端末装置７０Ｂに呼び出し音を出力する（Ｓ５１：ＲＢＴ）。例えば、端末装置７０Ｂに、端末装置７０Ａを呼び出し中であることを伝える音を出力する。
【００４４】
この後、端末装置７０ＡのＩＰ変換装置３０が、端末装置７０Ａのオフフックを検出すると（Ｓ６０）、ＩＰ変換装置３０は、加入者サーバ２０へ200メッセージを送信し（Ｓ６１）、加入者サーバ２０は、中継サーバ４０へ、この200メッセージを送信する（Ｓ６２）。中継サーバ４０は、中継交換機５０へANMメッセージを送信し（Ｓ６３）、中継交換機５０は、このANMメッセージを加入者交換機６０へ送信する（Ｓ６４）。そして、端末装置７０Ａ，７０Ｂ間は通話可能な状態（通信中の状態）になる。なお、中継サーバ４０は、Ｓ６２の後、加入者サーバ２０へACKを返し（Ｓ６５）、加入者サーバ２０は、このACKをＩＰ変換装置３０へ送信する（Ｓ６６）。この後、通話が終了すると、着信システムは通信の切断処理を行う。
【００４５】
このように着信システムは、（１）ＩＰ網経由で短縮着信ダイヤル番号の発信を受け付けた場合も、（２）ＰＳＴＮ経由で短縮着信ダイヤル番号の発信を受け付けた場合も、この短縮着信ダイヤル番号に対応する着信ダイヤル番号の端末装置７０への着信処理を行うことができる。
【００４６】
なお、前記した実施の形態において、着信システムは、図５に示すように、ＩＰ網に接続される端末装置７０Ｃからの発信を、ＩＰ網に接続される端末装置７０Ｄへ着信させるようにしてもよい。この場合、加入者サーバ２０Ａは、ＩＰ変換装置３０Ａ経由で、端末装置７０Ｃから短縮着信ダイヤル番号のINVITEメッセージを受信すると、前記した実施の形態と同様、ＡＳ１０において短縮着信ダイヤル番号（例えば、「#ABCD」）のINVITEメッセージを、汎用番号（0A-J）の着信ダイヤル番号のINVITEメッセージに変換する。そして、加入者サーバ２０Ａは、このINVITEメッセージを中継サーバ４０へ送信する。中継サーバ４０は、INVITEメッセージに含まれる着信ダイヤル番号から、着信先の端末装置７０Ｂへ到達するための加入者サーバ２０Ｂを特定し、この加入者サーバ２０ＢへINVITEメッセージを送信する。そして、加入者サーバ２０Ｂは、このINVITEメッセージを着信先の端末装置７０Ｂに接続するＩＰ変換装置３０Ｂへ送信し、ＩＰ変換装置３０Ｂは端末装置７０Ｄへの着信処理を行う。このようにすることで、着信システムはＩＰ網に接続される端末装置７０Ｃからの発信を、ＩＰ網に接続される端末装置７０Ｄへ着信させることができる。
【００４７】
なお、前記した実施の形態において、着信システムは、全国共通の短縮着信ダイヤル番号（全国利用型の短縮着信ダイヤル番号）の変換処理を行う場合を例に説明したが、これに限定されない。例えば、着信システムが、地域単位の短縮着信ダイヤル番号（地域単位利用型の短縮着信ダイヤル番号）の変換処理を行うようにしてもよい。この場合、ＡＳ１０の短縮ダイヤルＤＢ１１は、以下の表１に例示するように、発信元のダイヤル番号の先頭所定桁部分の番号（市外局番等）ごとに、その番号を発信元として、短縮着信ダイヤル番号の発信を受け付けたとき、変換すべき着信ダイヤル番号が示される。
【００４８】
【表１】
2011101130.tif 000003
【００４９】
例えば、ＡＳ１０の番号検索部１２は、発信元ダイヤル番号が「0422」で始まるダイヤル番号（「0422-**-****」）で、着信先が「＃ABCD」であるINVITEメッセージを受信したとき、この短縮ダイヤルＤＢ１１を参照して着信ダイヤル番号「YYYY」を特定する。そして、このINVITEメッセージの着信ダイヤル番号を「YYYY」に変換したINVITEメッセージを作成し、加入者サーバ２０へ返す。このようにすることで、着信システムは地域利用型の短縮着信ダイヤル番号についても、着信ダイヤル番号の変換を行うことができる。
【００５０】
また、着信システムは、１つのＡＳ１０を備えるものとして説明したが、複数のＡＳ１０を備えていてもよい。この場合、ＡＳ１０それぞれの短縮ダイヤルＤＢ１１の情報は同じものとしてもよいし、前記した地域利用型の短縮着信ダイヤル番号を用いる場合、その地域のＡＳ１０ごとに異なる短縮ダイヤルＤＢ１１を備えるようにしてもよい。この場合、短縮着信ダイヤル番号のINVITEメッセージを受信した加入者サーバ２０は、このINVITEメッセージの発信元ダイヤル番号をもとに、どのＡＳ１０に、短縮着信ダイヤル番号の問い合わせを行えばよいかを判断するものとする。
また、別のＡＳ１０の短縮ダイヤルＤＢ１１の持たせた方として、着信側の＃ＡＢＣＤの番号帯毎にＡＳ１０を分けてもよい。例えば、＃１０００番台はＡＳ１０Ａの短縮ダイヤルＤＢ１１に記憶し、＃２０００番台はＡＳ１０Ｂの短縮ダイヤルＤＢ１１に記憶し、短縮着信ダイヤル番号のINVITEメッセージを受信した加入者サーバ２０は、このINVITEメッセージの短縮着信ダイヤル番号をもとに、どのＡＳ１０に、短縮着信ダイヤル番号の問い合わせを行えばよいかを判断するものとする。
【００５１】
また、図２の加入者サーバ２０自身が、短縮ダイヤルＤＢ１１を備え、着信システム内にＡＳ１０を設けないようにしてもよい。この場合、図６に示すように、加入者サーバ２０Ａの番号問い合わせ部２２は、短縮ダイヤルＤＢ１１を参照して、短縮着信ダイヤル番号から、汎用番号の着信ダイヤル番号への変換を行う。
【００５２】
なお、前記したＡＳ１０、加入者サーバ２０（２０Ａ）、中継サーバ４０は、ＣＰＵ（Central Processing Unit）、入出力インタフェース、通信インタフェース、記憶手段を備えるコンピュータにより実現される。これらのサーバの機能は、ＣＰＵによるプログラム実行処理により実現してもよいし、専用のハードウェアにより実現してもよい。
【００５３】
また、前記した実施の形態において、論理ＩＤが、＃等を含む短縮着信ダイヤル番号である場合を例に説明したが、他の文字、記号、数字等またはこれらの組み合わせによる識別情報であってもよい。
【符号の説明】
【００５４】
１０    ＡＳ（アプリケーションサーバ）
１１，６２  短縮ダイヤル（論理ＩＤ）ＤＢ（データベース）
１２    番号検索部
２０（２０Ａ）    加入者サーバ
２１    接続処理部
２２    番号問い合わせ部
２３    ＩＰ変換装置ＤＢ
３０    ＩＰ変換装置
３１    ＩＰ変換部
４０    中継サーバ
４１    接続処理部
５０    中継交換機
５１    交換機ＤＢ
５２    接続処理部
６０    加入者交換機
６１    接続処理部
７０（７０Ａ，７０Ｂ）  端末装置
【図１】
2011101130.tif 000004
【図２】
2011101130.tif 000005
【図３】
2011101130.tif 000006
【図４】
2011101130.tif 000007
【図５】
2011101130.tif 000008
【図６】
2011101130.tif 000009
【図７】
2011101130.tif 000010